(57)【要約】【課題】自装置の姿勢に応じてアプリケーションの動作を適切に制御する端末装置を実現する。【解決手段】携帯電話１０では、姿勢変化が小さくユーザ指定の記憶条件や更新条件を満たす間は一定期間毎に姿勢検出部１１０により検出される姿勢（姿勢を表すパラメータ）と現在時刻とを対応付けて生成される最新の姿勢を基準姿勢に設定したり、最新の姿勢を基準姿勢に更新したりする。姿勢変化が大きくなってユーザ指定の記憶条件や更新条件を満たさなくなり、かつ基準姿勢および最新の姿勢の比較結果が制御条件を満たさなくなると、起動中のアプリ動作を制御する。その後、基準姿勢および最新の姿勢の比較結果が制御条件を満たすようになると、アプリ動作の制御を解除する。これにより、自装置の姿勢に応じてアプリケーションの動作を適切に制御できるようになる。【選択図】図１１
2011018272.tif 000002
【特許請求の範囲】
【請求項１】
所定の機能を提供するアプリケーションを制御する端末装置において、
アプリケーションが動作中か否かを判別する動作判別手段と、
自装置の姿勢を検出する姿勢検出手段と、
前記動作判別手段によってアプリケーションの動作中と判別された場合に、前記姿勢検出手段により検出された姿勢を基準姿勢として記憶手段に記憶する記憶制御手段と、
前記姿勢検出手段により検出された姿勢と、前記記憶制御手段により記憶手段に記憶された基準姿勢とを比較する比較手段と、
前記比較手段の比較結果に応じて、アプリケーションの動作を制御する動作制御手段と
を具備することを特徴とする端末装置。
【請求項２】
前記姿勢検出手段により検出された姿勢を基準姿勢として記憶するか否かを判別する記憶判別手段を更に備え、
前記記憶制御手段は、前記記憶判別手段によって記憶すると判別された場合に、前記姿勢検出手段により検出された姿勢を基準姿勢として記憶することを特徴とする請求項１記載の端末装置。
【請求項３】
前記記憶判別手段は、アプリケーションが動作中であって、検出された姿勢が所定範囲内の姿勢を所定時間継続した場合に、その検出された姿勢を基準姿勢として記憶すると判別することを特徴とする請求項２記載の端末装置。
【請求項４】
前記記憶判別手段は、アプリケーションが動作中であって、検出された姿勢が予め指定された姿勢の所定範囲内に含まれる場合に、その検出された姿勢を基準姿勢として記憶すると判別することを特徴とする請求項２記載の端末装置。
【請求項５】
前記記憶制御手段によって記憶手段に基準姿勢が記憶済みであって、かつ前記比較手段の比較結果が所定の条件を満たす場合に、記憶手段に記憶されている基準姿勢を、前記姿勢検出手段により検出された最新の姿勢に更新する更新手段を更に備えることを特徴とする請求項１記載の端末装置。
【請求項６】
前記更新手段は、前記姿勢検出手段により検出された最新の姿勢が、基準姿勢に対して所定範囲内である場合に、その最新の姿勢を基準姿勢に更新することを特徴とする請求項５記載の端末装置。
【請求項７】
前記アプリケーションは、少なくとも表示出力動作する機能又は音声出力動作する機能のいずれか一方を備え、
前記動作制御手段は、前記比較手段による比較の結果、検出された姿勢が記憶されている基準姿勢に対して所定範囲外である場合に、アプリケーションが備える機能の少なくともいずれか一方の動作を停止させることを特徴とする請求項１記載の端末装置。
【請求項８】
前記アプリケーションは、少なくとも生成した情報を表示出力動作する機能又は生成した情報を音声出力動作する機能のいずれか一方を備え、
前記動作制御手段は、前記比較手段による比較の結果、検出された姿勢が記憶されている基準姿勢に対して所定範囲外になった場合に、アプリケーションが生成した情報を記憶手段に記録する情報記録制御手段を更に備えることを特徴とする請求項１記載の端末装置。
【請求項９】
前記動作制御手段によってアプリケーションの動作が制御された後、前記比較手段の比較結果に応じて、当該動作制御手段による制御を解除する解除手段を更に備えることを特徴とする請求項１記載の端末装置。
【請求項１０】
前記動作制御手段によってアプリケーションの動作が制御されてから所定時間経過後に、アプリケーションの動作を終了する終了手段を更に備えることを特徴とする請求項１記載の端末装置。
【請求項１１】
所定の機能を提供するアプリケーションを制御する端末装置に搭載されるコンピュータに、
アプリケーションが動作中か否かを判別する動作判別ステップと、
自装置の姿勢を検出する姿勢検出ステップと、
前記動作判別ステップでアプリケーションの動作中と判別された場合に、前記姿勢検出ステップにて検出された姿勢を基準姿勢として記憶する記憶制御ステップと、
前記姿勢検出ステップにて検出された姿勢と、前記記憶制御ステップにより記憶された基準姿勢とを比較する比較ステップと、
前記比較ステップでの比較結果に応じて、アプリケーションの動作を制御する動作制御ステップと
を実行させることを特徴とするプログラム。
【発明の詳細な説明】
【技術分野】
【０００１】
本発明は、アプリケーションの動作を、自装置の姿勢に応じて適切に制御する端末装置およびプログラムに関する。
【背景技術】
【０００２】
携帯電話機などの端末装置には、テレビ放送を受信して出力するアプリケーションや動画を再生出力するアプリケーション等、様々な情報出力機能が搭載されることが多い。そうした端末装置では、ユーザの都合でアプリケーションの動作を中断させたり他のアプリケーション動作に切り替えたりする必要が度々起こるが、それをユーザ操作で行うと煩わしさが生じる。そこで近年では、例えば特許文献１に開示の装置のように、表示部の方位とユーザの頭部の方位とを検出し、検出した両方位の比較結果に応じて、自動的にテレビ放送を再生したり録画したりする技術が開発されている。
【先行技術文献】
【特許文献】
【０００３】
【特許文献１】特開２００５−２７５０４６号公報
【発明の概要】
【発明が解決しようとする課題】
【０００４】
ところで、上記特許文献１に開示の技術では、端末装置の方位とユーザの頭部の方位との比較結果が変化しない限りアプリケーションは同じ処理動作を維持してしまう。具体的には、例えばユーザが椅子に座って端末装置を把持した状態でテレビ放送を受信して出力するアプリケーションを動作させて番組視聴している時に居眠りをし始め、これによりユーザが頭部を前に傾け、かつ把持した端末装置も同じくらい傾いたとする。そうすると、端末装置の方位とユーザの頭部の方位との比較結果は変化しない為、アプリケーションは番組視聴する状態を維持することになる。
【０００５】
このような状況では、無駄な電池消費を抑える為にテレビ放送を受信して出力するアプリケーションの動作を停止させて電源オフすることが望まれるが、単に端末装置の方位とユーザの頭部の方位との比較結果に応じてアプリケーションの動作を制御する態様では叶わない。つまり換言すれば、自装置の姿勢に応じてアプリケーションの動作を適切に制御することが出来ない、という問題を有する。
【０００６】
本発明は、このような事情に鑑みてなされたもので、自装置の姿勢に応じてアプリケーションの動作を適切に制御することができる端末装置およびプログラムを提供することを目的としている。
【課題を解決するための手段】
【０００７】
上記目的を達成するため、請求項１に記載の発明では、所定の機能を提供するアプリケーションを制御する端末装置において、アプリケーションが動作中か否かを判別する動作判別手段と、自装置の姿勢を検出する姿勢検出手段と、前記動作判別手段によってアプリケーションの動作中と判別された場合に、前記姿勢検出手段により検出された姿勢を基準姿勢として記憶手段に記憶する記憶制御手段と、前記姿勢検出手段により検出された姿勢と、前記記憶制御手段により記憶手段に記憶された基準姿勢とを比較する比較手段と、前記比較手段の比較結果に応じて、アプリケーションの動作を制御する動作制御手段とを具備することを特徴とする。
【０００８】
上記請求項１に従属する請求項２に記載の発明では、前記姿勢検出手段により検出された姿勢を基準姿勢として記憶するか否かを判別する記憶判別手段を更に備え、前記記憶制御手段は、前記記憶判別手段によって記憶すると判別された場合に、前記姿勢検出手段により検出された姿勢を基準姿勢として記憶することを特徴とする。
【０００９】
上記請求項２に従属する請求項３に記載の発明では、前記記憶判別手段は、アプリケーションが動作中であって、検出された姿勢が所定範囲内の姿勢を所定時間継続した場合に、その検出された姿勢を基準姿勢として記憶すると判別することを特徴とする。
【００１０】
上記請求項２に従属する請求項４に記載の発明では、前記記憶判別手段は、アプリケーションが動作中であって、検出された姿勢が予め指定された姿勢の所定範囲内に含まれる場合に、その検出された姿勢を基準姿勢として記憶すると判別することを特徴とする。
【００１１】
上記請求項１に従属する請求項５に記載の発明では、前記記憶制御手段によって記憶手段に基準姿勢が記憶済みであって、かつ前記比較手段の比較結果が所定の条件を満たす場合に、記憶手段に記憶されている基準姿勢を、前記姿勢検出手段により検出された最新の姿勢に更新する更新手段を更に備えることを特徴とする。
【００１２】
上記請求項５に従属する請求項６に記載の発明では、前記更新手段は、前記姿勢検出手段により検出された最新の姿勢が、基準姿勢に対して所定範囲内である場合に、その最新の姿勢を基準姿勢に更新することを特徴とする。
【００１３】
上記請求項１に従属する請求項７に記載の発明では、前記アプリケーションは、少なくとも表示出力動作する機能又は音声出力動作する機能のいずれか一方を備え、
前記動作制御手段は、前記比較手段による比較の結果、検出された姿勢が記憶されている基準姿勢に対して所定範囲外である場合に、アプリケーションが備える機能の少なくともいずれか一方の動作を停止させることを特徴とする。
【００１４】
上記請求項１に従属する請求項８に記載の発明では、前記アプリケーションは、少なくとも生成した情報を表示出力動作する機能又は生成した情報を音声出力動作する機能のいずれか一方を備え、前記動作制御手段は、前記比較手段による比較の結果、検出された姿勢が記憶されている基準姿勢に対して所定範囲外になった場合に、アプリケーションが生成した情報を記憶手段に記録する情報記録制御手段を更に備えることを特徴とする。
【００１５】
上記請求項１に従属する請求項９に記載の発明では、前記動作制御手段によってアプリケーションの動作が制御された後、前記比較手段の比較結果に応じて、当該動作制御手段による制御を解除する解除手段を更に備えることを特徴とする。
【００１６】
上記請求項１に従属する請求項１０に記載の発明では、前記動作制御手段によってアプリケーションの動作が制御されてから所定時間経過後に、アプリケーションの動作を終了する終了手段を更に備えることを特徴とする。
【００１７】
請求項１１に記載の発明では、所定の機能を提供するアプリケーションを制御する端末装置に搭載されるコンピュータに、アプリケーションが動作中か否かを判別する動作判別ステップと、自装置の姿勢を検出する姿勢検出ステップと、前記動作判別ステップでアプリケーションの動作中と判別された場合に、前記姿勢検出ステップにて検出された姿勢を基準姿勢として記憶する記憶制御ステップと、前記姿勢検出ステップにて検出された姿勢と、前記記憶制御ステップにより記憶された基準姿勢とを比較する比較ステップと、前記比較ステップでの比較結果に応じて、アプリケーションの動作を制御する動作制御ステップとを実行させることを特徴とする。
【発明の効果】
【００１８】
本発明では、自装置の姿勢に応じてアプリケーションの動作を適切に制御することができる。
【図面の簡単な説明】
【００１９】
【図１】実施の一形態による携帯電話１０が有する機能の概要を説明する為のシステム構成図である。
【図２】携帯電話１０の電気的構成を示すブロック図である。
【図３】記憶部１０１の記憶条件記憶部１０１ｃに記憶される記憶条件データの一例を示す図である。
【図４】記憶部１０１の更新条件記憶部１０１ｄに記憶される更新条件データの一例を示す図である。
【図５】記憶部１０１の制御条件記憶部１０１ｅに記憶される制御条件データの一例を示す図である。
【図６】記憶部１０１の制御内容記憶部１０１ｆに記憶される制御内容データの一例を示す図である。
【図７】記憶部１０１の姿勢情報記憶部１０１ｇに記憶される姿勢情報の一例を示す図である。
【図８】記憶部１０１の基準姿勢情報記憶部１０１ｈに記憶される基準姿勢情報の一例を示す図である。
【図９】メインルーチンの動作を示すフローチャートである。
【図１０】アプリ処理の動作を示すフローチャートである。
【図１１】姿勢判別処理の動作を示すフローチャートである。
【図１２】基準姿勢記憶処理の動作を示すフローチャートである。
【図１３】基準姿勢更新処理の動作を示すフローチャートである。
【図１４】制御判別処理の動作を示すフローチャートである。
【図１５】テレビアプリ動作中に実行される制御実行処理の動作を示すフローチャートである。
【図１６】動作再生アプリ動作中に実行される制御実行処理の動作を示すフローチャートである。
【図１７】テレビアプリ動作中に実行される制御解除処理の動作を示すフローチャートである。
【図１８】動作再生アプリ動作中に実行される制御解除処理の動作を示すフローチャートである。
【発明を実施するための形態】
【００２０】
以下、図面を参照して本発明の実施の形態について説明する。
Ａ．構成
（１）システム構成
図１は、実施の一形態による携帯電話１０が備える機能の概要を説明する為のシステム構成図である。携帯電話１０は、例えば折り畳み開閉タイプの筐体構造を有し、移動無線通信機能およびメール送受信機能を備える。移動無線通信機能を用いて通話する場合、携帯電話１０は、位置登録している基地局ＢＳを介して発信側の交換機ＳＷに発呼する。発信側の交換機ＳＷは、発呼に応じて、無線通信網ＲＮ中に設けられる加入者登録サーバ（不図示）から問い合せた着番号（加入者番号）および位置登録情報に基づき着信側の交換機ＳＷを呼出す。着信側の交換機ＳＷは、着信側の基地局ＢＳを介して着信側の携帯電話１０（不図示）を呼出し、これに応じて着信側が着呼応答すると、発信側の交換機ＳＷと着信側の交換機ＳＷとのリンクが確立して通話可能になる。
【００２１】
メール送受信機能を用いて携帯電話１０から送信されるメールは、基地局ＢＳ、交換機ＳＷおよび無線通信網ＲＮ中に設けられるゲートウェイサーバ（不図示）を経てインターネット上のメールサーバ（不図示）に伝送される。メールサーバは、上述とは逆の経路で宛先のメールアドレスを有する携帯電話１０にメールを送るようになっている。また、携帯電話１０は、移動無線通信機能を用い、基地局ＢＳ、交換機ＳＷおよび無線通信網ＲＮを経由してインターネットＩＴＮ上のコンテンツ配信装置２０にアクセスして画像データ（静止画像／動画像）や音楽データなどをダウンロードして取得する。さらに、携帯電話１０は、放送局３０から送信されるデジタルテレビ放送信号又はデジタルラジオ放送信号を受信して出力する機能を有する。
【００２２】
（２）電気的構成
図２は、携帯電話１０の電気的構成を示すブロック図である。この図において、制御部１００は、ＣＰＵおよび入出力回路などから構成され、後述する操作部１０６から供給される各種の操作イベントに応じて、携帯電話１０の各部の動作を制御する。本発明の要旨に係わる制御部１００の特徴的な処理動作については追って詳述する。
【００２３】
記憶部１０１は、ＲＯＭおよびＲＡＭから構成され、後述の各記憶部１０１ａ〜１０１ｉを有する。プログラム記憶部１０１ａには、制御部１００により実行される各種プログラムや、所定のプログラムにより参照される制御データの他、例えば待受画面などの各種表示画面を形成する画面データが記憶される。
【００２４】
なお、プログラム記憶部１０１ａに記憶される各種プログラムとは、追って詳述するメインルーチン、アプリ処理、姿勢判別処理、基準姿勢記憶処理、基準姿勢更新処理、制御判別処理、テレビアプリ動作中に実行される制御実行処理、動作再生アプリ動作中に実行される制御実行処理、テレビアプリ動作中に実行される制御解除処理および動作再生アプリ動作中に実行される制御解除処理を含む。
【００２５】
各種情報一時記憶部１０１ｂには、各種レジスタ・フラグデータや、表示部１０５に画面表示する画面データなど携帯電話１０の動作に必要なデータが一時記憶される。記憶条件記憶部１０１ｃには、姿勢検出部１１０（後述する）により検出される姿勢情報を基準姿勢（後述する）として記憶するための条件を表す記憶条件データが記憶される。記憶条件データは、図３に図示するように、３種類の記憶条件と、これら記憶条件の有効／無効を表す設定フラグとから構成される。
【００２６】
３種類の記憶条件は、「アプリ動作開始時」、「類似の姿勢が所定時間継続」および「アプリ動作中に所定の姿勢」からなり、これらの内、設定フラグが「１」にセットされた記憶条件が有効となる。「アプリ動作開始時」とは、アプリ動作（テレビ放送受信出力機能や動画再生出力機能）の開始時に、姿勢検出部１１０により検出される姿勢情報を基準姿勢として記憶することを表す。なお、ここで言うアプリとは、携帯電話１０において実行されるアプリケーションを略した呼称である。
【００２７】
「類似の姿勢が所定時間継続」には、姿勢を表すパラメータの範囲と、その継続時間を表す秒数とが付随する。したがって、「類似の姿勢が所定時間継続」とは、アプリ動作中に検出される姿勢が、継続時間を表す秒数の間、姿勢を表すパラメータの範囲に収まっている場合にその検出された姿勢を基準姿勢として記憶することを表す。
【００２８】
「アプリ動作中に所定の姿勢」には、姿勢を表すパラメータと、そのパラメータの範囲とが付随する。したがって、「アプリ動作中に所定の姿勢」とは、アプリ動作中に検出される姿勢が、姿勢を表すパラメータの範囲に収まっている場合にその検出された姿勢を基準姿勢として記憶することを表す。
【００２９】
なお、図３に図示する一例の記憶条件では、黒太枠で囲まれた内容、すなわち、「類似の姿勢が所定時間継続」および「アプリ動作中に所定の姿勢」にそれぞれ付随する内容と設定フラグとがユーザ設定で変更可能なことを示している。また、図３では、設定フラグの値が「１」の「類似の姿勢が所定時間継続」を有効な記憶条件として指定した一例を図示している。
【００３０】
更新条件記憶部１０１ｄには、図４に図示するように、基準姿勢の更新の有無を表す更新条件データが記憶される。更新条件データは、更新条件として姿勢を表すパラメータの範囲が設けられた「更新する」と、「更新しない」とを指定する設定フラグから構成される。なお、図４に図示する一例では「更新する」の設定フラグが「１」にセットされているので、姿勢検出部１１０により検出される姿勢が更新条件（姿勢を表すパラメータの範囲）を満たす場合に、検出された姿勢を基準姿勢に更新することを表す。また、この一例では、黒太枠で囲まれた内容、すなわち、更新条件として「姿勢を表すパラメータの範囲」と設定フラグとがユーザ設定で変更可能なことを示している。
【００３１】
制御条件記憶部１０１ｅには、図５に図示するように、姿勢を表すパラメータの範囲が制御条件データとして記憶される。制御内容記憶部１０１ｆには、姿勢検出部１１０により検出される姿勢に応じてアプリ動作を制御する内容を表す制御内容データが記憶される。制御内容データは、図６に図示するように、制御の対象となるアプリの種別、項目、内容および設定フラグから構成される。
【００３２】
具体的には、アプリの種別がテレビ（テレビ放送受信出力機能）の制御内容データでは、映像と音声の出力停止を意味する「停止」と、映像と音声の出力を停止させて記録（録画）の開始を意味する「停止＋記録」とが項目として定義され、それら項目の何れか一方が設定フラグにより選択される。図６の一例では、設定フラグが「１」にセットされた「停止」項目を含む制御内容データを選択した状態を示している。
【００３３】
一方、アプリの種別が動画再生（動画再生出力機能）の制御内容データでは、映像と音声の出力停止を意味する「停止」と、映像と音声の出力一時停止を意味する「一時停止」とが項目として定義され、それら項目の何れか一方が設定フラグにより選択される。図６の一例では、設定フラグが「１」にセットされた「停止」項目を含む制御内容データを選択した状態を示している。なお、図６に示す一例において、黒太枠で囲まれた設定フラグがユーザ設定で変更可能なことを示している。
【００３４】
姿勢情報記憶部１０１ｇには、図７に図示するように、姿勢検出部１１０により検出される姿勢（姿勢を表すパラメータ）に検出時刻を対応付けた姿勢情報が履歴として記憶される。基準姿勢情報記憶部１０１ｈには、図８に図示するように、基準姿勢情報（基準姿勢を表すパラメータ）が記憶される。基準姿勢情報とは、上述した記憶条件記憶部１０１ｃに記憶される記憶条件データ（図３参照）に基づき姿勢検出部１１０が検出した姿勢を指す。データ記憶部１０１ｉには、ダウンロードした各種データ（静止画像データ、動画像データ、音楽データ）や、受信した放送データ（テレビ放送／ラジオ放送）が記録（録画）される他、送受信メールデータが保存される。
【００３５】
無線通信送受信部１０２は、データ通信時には制御部１００の制御の下に、アンテナＡＮＴ１を介して基地局ＢＳとデータ授受を行い、音声通話時にはアンテナＡＮＴ１を介して受信復調した音声データを制御部１００に出力する一方、制御部１００から供給される音声データを変調して得た送信信号を高周波増幅してアンテナＡＮＴ１から送出する。テレビ放送・ラジオ放送受信部１０３は、制御部１００から与えられる選局指示に従い、アンテナＡＮＴ２を介してテレビ放送信号又はラジオ放送信号を受信復調し、これにより得られる受信信号（テレビ受信時は映像／テレビ音声データ、ラジオ受信時はラジオ音声データ）を制御部１００に出力する。
【００３６】
音声信号処理部１０４は、スピーカＳＰおよびマイクＭＩＣを備え、制御部１００から供給される音声データを音声信号にＤ／Ａ変換してスピーカＳＰから発音させたり、マイクＭＩＣから出力される音声信号を音声データにＡ／Ｄ変換して制御部１００に供給する。また、音声信号処理部１０４では、テレビ放送・ラジオ放送受信部１０３が受信動作中の場合、制御部１００から供給されるテレビ音声データ又はラジオ音声データをＤ／Ａ変換した後に増幅してスピーカＳＰから放音する。
【００３７】
表示部１０５は、カラー液晶パネルおよび表示ドライバから構成され、制御部１００の制御の下に、待受画面など各種の操作画面の他、コンテンツ配信装置２０から取得した画像やテレビ映像などを画面表示する。操作部１０６には、パワーオンオフする電源スイッチ、通話開始／終了時に操作されるオフフック／オンフックスイッチ、ダイヤルスイッチと兼用の文字入力スイッチ、アプリ動作（テレビ放送受信出力機能や動画再生出力機能）の起動を指示する各種操作キーやボタン等を有し、これらキーやボタンの操作に応じたイベントを発生して制御部１００に出力する。
【００３８】
ＲＴＣ１０７は、時刻計時やタイマ割り込みに用いるリアルタイムクロックを発生して制御部１００に供給する。報知部１０８は、制御部１００から供給される報知信号に応じて報知動作（サウンドスピーカ１０８ａの鳴音、ＬＥＤ１０８ｂの発光および振動モータ１０８ｃの駆動）を行う。電池部１０９は、携帯電話１０の各部を駆動する駆動電圧を発生する。姿勢検出部１１０は、３軸地磁気センサの各出力と３軸加速度センサの各出力とに基づき端末装置の姿勢を検出して出力する。
【００３９】
Ｂ．動作
次に、図９〜図１８を参照して上記構成による携帯電話１０の動作を説明する。以下では、制御部１００が実行するメインルーチン、アプリ処理、姿勢判別処理、基準姿勢記憶処理、基準姿勢更新処理、制御判別処理、テレビアプリ動作中に実行される制御実行処理、動作再生アプリ動作中に実行される制御実行処理、テレビアプリ動作中に実行される制御解除処理および動作再生アプリ動作中に実行される制御解除処理の各動作について述べる。
【００４０】
（１）        
メインルーチンの動作
図９は、制御部１００が実行するメインルーチンの動作を示すフローチャートである。制御部１００は、ステップＳＡ１において電源オン操作されるまで待機し、ユーザが電源オン操作を行うと、判断結果が「ＹＥＳ」になり、ステップＳＡ２に進み、電源オンに応じて携帯電話１０の各部をイニシャライズした後、無線通信網ＲＮに位置登録を行って待ち受け状態に入る待受処理を実行する。なお、待ち受け状態になると、表示部１０５には待受画面（図示略）が画面表示される。
【００４１】
続いて、ステップＳＡ３〜ＳＡ８では、それぞれ「設定操作」、「テレビ起動操作」、「動画再生起動操作」、「着信検知」、「電源オフ操作」および「その他の操作」の各イベントの有無を判断する。これらイベントが発生しなければ、ステップＳＡ８〜ＳＡ８の各判断結果はいずれも「ＮＯ」になり、上記ステップＳＡ２の待ち受け状態のまま待機する。そして、この待ち受け状態において上記イベントのいずれかが発生すると、その発生したイベントに対応した処理を実行する。以下、イベント別に分けて動作説明を進める。
【００４２】
＜設定操作の場合＞
設定操作イベントが発生すると、上記ステップＳＡ３の判断結果が「ＹＥＳ」となり、ステップＳＡ９に進み、ユーザにより行われた設定操作に応じた設定処理を実行する。具体的には、記憶条件記憶部１０１ｃに記憶条件データ（図３参照）を、更新条件記憶部１０１ｄに更新条件データ（図４参照）を、制御条件記憶部１０１ｅに制御条件データ（図５参照）を、制御内容記憶部１０１ｆに制御内容データ（図６参照）をそれぞれ設定する他、コンテンツ配信装置２０からダウンロードした各種データ（静止画像データ、動画像データ、音楽データ）をデータ記憶部１０１ｉに記憶する処理などを実行した後、上記ステップＳＡ２の待ち受け状態に復帰する。
【００４３】
＜テレビ起動操作又は動画再生起動操作の場合＞
テレビ起動操作イベントが発生した場合には、上記ステップＳＡ４の判断結果が「ＹＥＳ」となり、ステップＳＡ１０を介してアプリ処理を実行した後、上記ステップＳＡ２の待ち受け状態に復帰する。一方、動画再生起動操作イベントが発生した場合には、上記ステップＳＡ５の判断結果が「ＹＥＳ」となり、ステップＳＡ１０を介してアプリ処理を実行した後、上記ステップＳＡ２の待ち受け状態に復帰する。
【００４４】
アプリ処理では、後述するように、ユーザの起動操作に応じてテレビアプリもしくは動画再生アプリを起動させた後、姿勢変化が小さくユーザ指定の記憶条件や更新条件を満たしていれば、一定期間毎に姿勢検出部１１０により検出される姿勢（姿勢を表すパラメータ）と現在時刻とを対応付けて生成される最新の姿勢を基準姿勢に設定したり、最新の姿勢を基準姿勢に更新したりする。
【００４５】
そして、姿勢変化が大きくなってユーザ指定の記憶条件や更新条件を満たさなくなり、かつ基準姿勢および最新の姿勢を比較し、その比較結果が制御条件を満たさなくなると、起動中のアプリ動作を制御する。具体的には、テレビアプリ動作中にユーザ指定の制御内容が「停止」であると、映像表示出力および音声出力を停止させ、一方、ユーザ指定の制御内容が「停止＋記録」ならば、映像／テレビ音声データの記録（録画）を開始させた後、映像表示出力および音声出力を停止させる。また、動画再生アプリ動作中にユーザ指定の制御内容が「一時停止」であると、映像表示出力および音声出力を一時停止させ、一方、ユーザ指定の制御内容が「停止」ならば、映像表示出力および音声出力を停止させる。
【００４６】
その後、基準姿勢および最新の姿勢の比較結果が制御条件を満たすようになると、アプリ動作の制御を解除する。具体的には、テレビアプリ動作中で録画をしていなければ、受信中の映像／テレビ音声データに基づき映像表示出力および音声出力を開始させ、一方、録画中ならば、タイムシフト再生（追いかけ再生）を行い、現在録画中の映像／テレビ音声データに再生出力が追いつくと、受信中の映像／テレビ音声データに基づき映像表示出力および音声出力を開始させる。また、動画再生アプリ動作中で動画再生一時停止中であると、映像表示出力および音声出力を再開させ、一方、動画再生停止中ならば、映像表示出力および音声出力を開始させる。
【００４７】
＜着信検知の場合＞
着信検知イベントが発生すると、上記ステップＳＡ６の判断結果が「ＹＥＳ」になり、ステップＳＡ１１に進む。ステップＳＡ１１では、着信報知を行うと共に、この着信報知中にオフフック操作されると発呼側と回線接続して通話を開始させ、通話中にオンフック操作されると回線切断する通話処理を実行した後、上記ステップＳＡ２の待ち受け状態に復帰する。
【００４８】
＜電源オフ操作の場合＞
電源オフ操作イベントが発生すると、上記ステップＳＡ７の判断結果が「ＹＥＳ」になり、ステップＳＡ１２に進み、電源オフ処理を実行した後、本処理を完了させる。
【００４９】
＜その他の操作の場合＞
例えば録画したテレビ番組の再生開始を指示する操作などの、その他の操作が行われると、上記ステップＳＡ８の判断結果が「ＹＥＳ」となり、ステップＳＡ１３に進み、操作に対応した処理を実行した後、上記ステップＳＡ２の待ち受け状態に復帰する。
【００５０】
（２）アプリ処理の動作
次に、図１０を参照してアプリ処理の動作を説明する。上述したメインルーチンのステップＳＡ１０（図９参照）を介して本処理が実行されると、制御部１００は図１０に図示するステップＳＢ１に進み、アプリ動作開始フラグを「１」にセットしてアプリ動作（テレビ放送受信出力機能又は動画再生出力機能）の開始を表す。続いて、ステップＳＢ２では、アプリ起動処理を実行する。
【００５１】
アプリ起動処理では、起動操作されたアプリ動作がテレビ放送受信出力機能（以下、テレビアプリと略称する）であった場合には、ユーザ操作で指定されたチャンネルの受信開始をテレビ放送・ラジオ放送受信部１０３に指示し、これに応じてテレビ放送・ラジオ放送受信部１０３から出力されるテレビ放送受信信号に基づき表示部１０５により映像出力させ、音声信号処理部１０４により音声出力させる。起動操作されたアプリ動作が動画再生出力機能（以下、動画再生アプリと略称する）であった場合には、ユーザ操作で指定された動画像（又は録画されたテレビ番組）をデータ記憶部１０１ｉから読み出し、表示部１０５により映像出力させ、音声信号処理部１０４により音声出力させる。
【００５２】
次いで、ステップＳＢ３では、姿勢判別処理を実行する。姿勢判別処理の動作は、後述するように、アプリ動作の制御を解除した状態（制御中フラグが「０」の状態）とアプリ動作を制御中の状態（制御中フラグが「１」の状態）とに大別される。アプリ動作の制御を解除した状態では、姿勢変化が小さくユーザ指定の記憶条件や更新条件を満たしている場合には、姿勢検出部１１０により検出される姿勢（姿勢を表すパラメータ）と現在時刻とを対応付けて生成される最新の姿勢を基準姿勢に設定したり、最新の姿勢を基準姿勢に更新したりする。
【００５３】
そして、姿勢変化が大きくなってユーザ指定の記憶条件や更新条件を満たさなくなり、かつ基準姿勢および最新の姿勢の比較結果が制御条件を満たさなくなると、起動中のアプリ動作を制御する。具体的には、テレビアプリ動作中にユーザ指定の制御内容が「停止」であると、映像表示出力および音声出力を停止させ、一方、ユーザ指定の制御内容が「停止＋記録」ならば、映像／テレビ音声データの記録（録画）を開始させた後、映像表示出力および音声出力を停止させる。また、動画再生アプリ動作中にユーザ指定の制御内容が「一時停止」であると、映像表示出力および音声出力を一時停止させ、一方、ユーザ指定の制御内容が「停止」ならば、映像表示出力および音声出力を停止させる。
【００５４】
このようにしてアプリ動作を制御した状態において、基準姿勢および最新の姿勢の双方が制御条件を満たすようになると、アプリ動作の制御を解除する。具体的には、テレビアプリ動作中で録画をしていなければ、受信中の映像／テレビ音声データに基づき映像表示出力および音声出力を開始させ、一方、録画中ならば、タイムシフト再生（追いかけ再生）を行い、現在録画中の映像／テレビ音声データに再生出力が追いつくと、受信中の映像／テレビ音声データに基づき映像表示出力および音声出力を開始させる。また、動画再生アプリ動作中で動画再生一時停止中であると、映像表示出力および音声出力を再開させ、一方、動画再生停止中ならば、映像表示出力および音声出力を開始させる。
【００５５】
さて、こうした姿勢判別処理が完了すると、ステップＳＢ４に進み、姿勢検出タイマがタイムアウトになったか否かを判断する。姿勢検出タイマがタイムアウトになると、判断結果は「ＹＥＳ」になり、上記ステップＳＢ３に戻り、再び姿勢判別処理を実行する。一方、姿勢検出タイマが計時中ならば、上記ステップＳＢ４の判断結果は「ＮＯ」になり、ステップＳＢ５に進む。ステップＳＢ５では、制御中タイマがタイムアウトになったか否か、つまり制御実行処理（後述する）で計時開始した制御中タイマが、所定時間経過してタイムアウトになったかどうかを判断する。
【００５６】
制御中タイマがタイムアウトになると、上記ステップＳＢ５の判断結果は「ＹＥＳ」になり、ステップＳＢ７に進む。ステップＳＢ７では、テレビアプリ動作中ならば、テレビ放送・ラジオ放送受信部１０３の電源をオフして表示部１０５および音声信号処理部１０４の出力を停止させてテレビアプリ動作を終了させた後、各種フラグ（制御中フラグ、アプリ動作開始フラグ）をゼロリセットすると共に、各種タイマ（姿勢検出タイマ、制御中タイマ）を停止するアプリ終了処理を実行し、一方、動画再生アプリ動作中ならば、動画像の読み出しを停止して表示部１０５および音声信号処理部１０４の出力を停止させて動画再生アプリ動作を終了させた後、各種フラグ（制御中フラグ、アプリ動作開始フラグ）をゼロリセットすると共に、各種タイマ（姿勢検出タイマ、制御中タイマ）を停止するアプリ終了処理を実行して本処理を終える。
【００５７】
これに対し、制御中タイマがタイムアウトでなければ、上記ステップＳＢ５の判断結果は「ＮＯ」になり、ステップＳＢ６に進み、アプリ終了操作が為されたか否かを判断する。アプリ終了操作が為された場合には、判断結果が「ＹＥＳ」となり、ステップＳＢ７に進み、テレビアプリ動作や動画再生アプリ動作を終了させるアプリ終了処理を実行して本処理を終える。
【００５８】
一方、アプリ終了操作が為されなければ、上記ステップＳＢ６の判断結果は「ＮＯ」になり、ステップＳＢ８に進み、その他の操作が為されたか否かを判断する。その他の操作が為されなければ、判断結果は「ＮＯ」になり、上述のステップＳＢ４に処理を戻すが、例えばテレビアプリ動作中にチャンネル切り替え操作や音量調整操作などを行ったり、動画再生アプリ動作中に早送り操作や巻き戻し操作などを行った場合には、判断結果が「ＹＥＳ」となり、ステップＳＢ９に進み、テレビアプリ動作中の上記操作に対応してチャンネル切り替えや音量調整を行い、動画再生アプリ動作中の上記操作に対応して早送りや巻き戻しを行う、その他の処理を実行して上述のステップＳＢ４に処理を戻す。
【００５９】
このように、アプリ処理では、ユーザの起動操作に応じてテレビアプリもしくは動画再生アプリを起動させた後、姿勢変化が小さくユーザ指定の記憶条件や更新条件を満たしていれば、一定期間毎に姿勢検出部１１０により検出される姿勢（姿勢を表すパラメータ）と現在時刻とを対応付けて生成される最新の姿勢を基準姿勢に設定したり、最新の姿勢を基準姿勢に更新したりする。
【００６０】
そして、姿勢変化が大きくなってユーザ指定の記憶条件や更新条件を満たさなくなり、かつ基準姿勢および最新の姿勢の比較結果が制御条件を満たさなくなると、起動中のアプリ動作を制御する。具体的には、テレビアプリ動作中にユーザ指定の制御内容が「停止」であると、映像表示出力および音声出力を停止させ、一方、ユーザ指定の制御内容が「停止＋記録」ならば、映像／テレビ音声データの記録（録画）を開始させた後、映像表示出力および音声出力を停止させる。また、動画再生アプリ動作中にユーザ指定の制御内容が「一時停止」であると、映像表示出力および音声出力を一時停止させ、一方、ユーザ指定の制御内容が「停止」ならば、映像表示出力および音声出力を停止させる。
【００６１】
その後、基準姿勢および最新の姿勢の比較結果が制御条件を満たすようになると、アプリ動作の制御を解除する。具体的には、テレビアプリ動作中で録画をしていなければ、受信中の映像／テレビ音声データに基づき映像表示出力および音声出力を開始させ、一方、録画中ならば、タイムシフト再生（追いかけ再生）を行い、現在録画中の映像／テレビ音声データに再生出力が追いつくと、受信中の映像／テレビ音声データに基づき映像表示出力および音声出力を開始させる。また、動画再生アプリ動作中で動画再生一時停止中であると、映像表示出力および音声出力を再開させ、一方、動画再生停止中ならば、映像表示出力および音声出力を開始させる。
【００６２】
（２）        
姿勢判別処理の動作
次に、図１１を参照して姿勢判別処理の動作を説明する。上述したアプリ処理のステップＳＢ３（図１０参照）を介して本処理が実行されると、制御部１００は図１１に図示するステップＳＣ１に進み、姿勢検出部１１０が出力する姿勢（姿勢を表すパラメータ）を検出し、続くステップＳＣ２では、現在時刻を取得する。なお、現在時刻はＲＴＣ１０７が発生するリアルタイムクロックに基づき制御部１００内部のタイマ回路（不図示）にて計時される。
【００６３】
続いて、ステップＳＣ３では、上記ステップＳＣ１で検出した姿勢（姿勢を表すパラメータ）に、上記ステップＳＣ２で取得した現在時刻（検出時刻）を対応付けた姿勢情報を生成して姿勢情報記憶部１０１ｇに記憶する。次いで、ステップＳＣ４では、制御中フラグが「０」であるか否かを判断する。制御中フラグとは、後述の制御実行処理によってアプリ動作（テレビ放送受信出力機能又は動画再生出力機能）を制御している場合に「１」となり、制御していない場合あるいは後述の制御解除処理によってアプリ動作（テレビ放送受信出力機能又は動画再生出力機能）の制御を解除した場合に「０」となるフラグである。
【００６４】
したがって、このステップＳＣ４では、アプリ動作の制御を解除した状態であるかどうかを判断する。以下では、制御中フラグが「０」のアプリ動作の制御を解除した状態と、制御中フラグが「１」のアプリ動作を制御中の状態とに分けて動作を説明する。
【００６５】
＜アプリ動作の制御を解除した状態＞
制御中フラグが「０」のアプリ動作の制御を解除した状態であると、上記ステップＳＣ４の判断結果は「ＹＥＳ」になり、ステップＳＣ５を介して基準姿勢記憶処理を実行する。基準姿勢記憶処理では、後述するように、ユーザ指定の記憶条件データ（設定フラグが「１」の記憶条件データ）を記憶条件記憶部１０１ｃから読み出しておき、姿勢情報記憶部１０１ｇに記憶される最新の姿勢情報が、読み出した記憶条件データで指定される条件を満たす場合に、その最新の姿勢情報を基準姿勢情報として基準姿勢情報記憶部１０１ｈに記憶する。
【００６６】
そして、ステップＳＣ６では、上記ステップＳＣ５の基準姿勢記憶処理において、記憶条件データで指定される条件を満たす新たな基準姿勢情報が基準姿勢情報記憶部１０１ｈに記憶されたか否かを判断する。新たな基準姿勢情報が基準姿勢情報記憶部１０１ｈに記憶されたならば、判断結果は「ＹＥＳ」になり、ステップＳＣ７に進み、姿勢検出する期間を計時する姿勢検出タイマをスタートさせて本処理を終える。
【００６７】
一方、新たな基準姿勢情報が基準姿勢情報記憶部１０１ｈに記憶されなければ、上記ステップＳＣ６の判断結果は「ＮＯ」となり、ステップＳＣ１１を介して基準姿勢更新処理を実行する。基準姿勢更新処理では、後述するように、基準姿勢情報記憶部１０１ｈに基準姿勢情報（基準姿勢を表すパラメータ）が記憶済みで、かつ記憶条件記憶部１０１ｄから読み出したユーザ指定の更新条件データ（設定フラグが「１」の更新条件データ）が「更新する」であると、基準姿勢および最新の姿勢の比較結果が更新条件（姿勢を表すパラメータの範囲）を満たす場合に、最新の姿勢を基準姿勢情報として基準姿勢情報記憶部１０１ｈに更新登録する。
【００６８】
次いで、ステップＳＣ１２では、上記ステップＳＣ１１の基準姿勢更新処理によって基準姿勢情報が更新されたかどうかを判断する。基準姿勢情報が最新の姿勢に更新されたならば、判断結果は「ＹＥＳ」になり、ステップＳＣ７に進み、姿勢検出する期間を計時する姿勢検出タイマをスタートさせて本処理を終える。
【００６９】
これに対し、基準姿勢情報が更新されなければ、上記ステップＳＣ１２の判断結果は「ＮＯ」になり、ステップＳＣ１３を介して制御判別処理を実行する。制御判別処理では、後述するように、基準姿勢情報記憶部１０１ｈに基準姿勢情報（基準姿勢を表すパラメータ）が記憶済みであって、かつ基準姿勢および最新の姿勢の比較結果が制御条件記憶部１０１ｅから読み出した制御条件データ（姿勢を表すパラメータの範囲）を満足しない場合に「制御する」と判別する。
【００７０】
そして、ステップＳＣ１４では、上記ステップＳＣ１３の制御判別処理によって「制御する」と判別されたか否かを判断する。「制御しない」と判別された場合には、判断結果は「ＮＯ」になり、ステップＳＣ７に進み、姿勢検出する期間を計時する姿勢検出タイマをスタートさせて本処理を終える。
【００７１】
一方、上記ステップＳＣ１３の制御判別処理によって「制御する」と判別された場合には、上記ステップＳＣ１４の判断結果は「ＹＥＳ」となり、ステップＳＣ１５を介して制御実行処理を実行する。
【００７２】
テレビアプリ動作中であると、制御実行処理では、後述するように、制御内容記憶部１０１ｆから読み出したユーザ指定の制御内容データ（設定フラグが「１」の制御内容データ）が「停止」の場合には、映像表示出力および音声出力を停止させた後、制御中フラグに「１」をセットして制御中タイマをスタートさせる。ユーザ指定の制御内容データが「停止＋記録」ならば、テレビ放送・ラジオ放送受信部１０３から出力される映像／テレビ音声データの記録（録画）を開始させた後、映像表示出力および音声出力を停止させ、制御中フラグに「１」をセットして制御中タイマをスタートさせる。
【００７３】
動画再生アプリ動作中であると、制御実行処理では、後述するように、制御内容記憶部１０１ｆから読み出したユーザ指定の制御内容データ（設定フラグが「１」の制御内容データ）が「一時停止」の場合には、映像表示出力および音声出力を一時停止させた後、制御中フラグに「１」をセットして制御中タイマをスタートさせる。ユーザ指定の制御内容データが「停止」ならば、映像表示出力および音声出力を停止させた後、制御中フラグに「１」をセットして制御中タイマをスタートさせる。そして、こうした制御実行処理が完了すると、ステップＳＣ７に進み、姿勢検出する期間を計時する姿勢検出タイマをスタートさせて本処理を終える。
【００７４】
＜アプリ動作を制御中の状態＞
制御中フラグが「１」のアプリ動作を制御中の状態であると、上記ステップＳＣ４の判断結果は「ＮＯ」になり、ステップＳＣ８を介して制御判別処理を実行する。制御判別処理では、後述するように、基準姿勢情報記憶部１０１ｈに基準姿勢情報（基準姿勢を表すパラメータ）が記憶済みであって、かつ基準姿勢および最新の姿勢の比較結果が制御条件記憶部１０１ｅから読み出した制御条件データ（姿勢を表すパラメータの範囲）を満足しない場合に「制御する」と判別する。
【００７５】
そして、ステップＳＣ９では、上記ステップＳＣ８の制御判別処理によって「制御しない」と判別されたか否かを判断する。「制御する」と判別された場合には、判断結果が「ＮＯ」になり、ステップＳＣ７に進み、姿勢検出する期間を計時する姿勢検出タイマをスタートさせて本処理を終える。
【００７６】
一方、上記ステップＳＣ８の制御判別処理によって「制御しない」と判別された場合には、上記ステップＳＣ９の判断結果は「ＹＥＳ」となり、ステップＳＣ１０を介して制御解除処理を実行する。
【００７７】
テレビアプリ動作中であると、制御解除処理では、後述するように、映像／テレビ音声データを録画中でなければ、受信中の映像／テレビ音声データに基づき映像表示出力および音声出力を開始させた後、制御中フラグをゼロセットして制御中タイマを停止させる。一方、映像／テレビ音声データを録画中ならば、タイムシフト再生（追いかけ再生）を行い、現在録画中の映像／テレビ音声データに再生出力が追いつくと、受信中の映像／テレビ音声データに基づき映像表示出力および音声出力を開始させた後、制御中フラグをゼロセットして制御中タイマを停止させる。
【００７８】
動画再生アプリ動作中であると、制御解除処理では、後述するように、動画再生一時停止中ならば、映像表示出力および音声出力を再開させた後、制御中フラグをゼロリセットして制御中タイマを停止させる。一方、動画再生停止中であると、映像表示出力および音声出力を開始させた後、制御中フラグをゼロリセットして制御中タイマを停止させる。そして、こうした制御解除処理が完了すると、ステップＳＣ７に進み、姿勢検出する期間を計時する姿勢検出タイマをスタートさせて本処理を終える。
【００７９】
以上のように、姿勢判別処理の動作は、アプリ動作の制御を解除した状態（制御中フラグが「０」の状態）とアプリ動作を制御中の状態（制御中フラグが「１」の状態）とに大別される。アプリ動作の制御を解除した状態では、姿勢変化が小さくユーザ指定の記憶条件や更新条件を満たしている場合には、姿勢検出部１１０により検出される姿勢（姿勢を表すパラメータ）と現在時刻とを対応付けて生成される最新の姿勢を基準姿勢に設定したり、最新の姿勢を基準姿勢に更新したりする。
【００８０】
そして、姿勢変化が大きくなってユーザ指定の記憶条件や更新条件を満たさなくなり、かつ基準姿勢および最新の姿勢の比較結果が制御条件を満たさなくなると、起動中のアプリ動作を制御する。具体的には、テレビアプリ動作中にユーザ指定の制御内容が「停止」であると、映像表示出力および音声出力を停止させ、一方、ユーザ指定の制御内容が「停止＋記録」ならば、映像／テレビ音声データの記録（録画）を開始させた後、映像表示出力および音声出力を停止させる。また、動画再生アプリ動作中にユーザ指定の制御内容が「一時停止」であると、映像表示出力および音声出力を一時停止させ、一方、ユーザ指定の制御内容が「停止」ならば、映像表示出力および音声出力を停止させる。
【００８１】
このようにしてアプリ動作を制御した状態において、基準姿勢および最新の姿勢の双方が制御条件を満たすようになると、アプリ動作の制御を解除する。具体的には、テレビアプリ動作中で録画をしていなければ、受信中の映像／テレビ音声データに基づき映像表示出力および音声出力を開始させ、一方、録画中ならば、タイムシフト再生（追いかけ再生）を行い、現在録画中の映像／テレビ音声データに再生出力が追いつくと、受信中の映像／テレビ音声データに基づき映像表示出力および音声出力を開始させる。また、動画再生アプリ動作中で動画再生一時停止中であると、映像表示出力および音声出力を再開させ、一方、動画再生停止中ならば、映像表示出力および音声出力を開始させる。
【００８２】
（４）基準姿勢記憶処理の動作
次に、図１２を参照して基準姿勢記憶処理の動作を説明する。上述した姿勢判別処理のステップＳＣ５（図１１参照）を介して本処理が実行されると、制御部１００は図１２に図示するステップＳＤ１に進み、設定フラグが「１」に設定された記憶条件データ（図３参照）を記憶条件記憶部１０１ｃから読み出す。そして、ステップＳＤ２以降では、上記ステップＳＤ１で読み出された記憶条件データに応じた処理を実行する。以下、読み出された記憶条件データの項目が「アプリ動作開始時」、「類似の姿勢が所定時間継続」および「アプリ動作中に所定の姿勢」の各場合に分けて動作説明を進める。
【００８３】
＜アプリ動作開始時の場合＞
この場合、ステップＳＤ２の判断結果が「ＹＥＳ」になり、ステップＳＤ３に進み、アプリ動作開始フラグが「１」、すなわちユーザのテレビ起動操作（又は動画再生起動操作）によって前述したアプリ処理（図１０参照）が実行中であるか否かを判断する。アプリ処理が実行されず、アプリ動作開始フラグが「０」ならば、判断結果は「ＮＯ」になり、何もせずに本処理を終えるが、アプリ処理の実行に応じてアプリ動作開始フラグが「１」になると、判断結果は「ＹＥＳ」となり、次のステップＳＤ４に進む。
【００８４】
ステップＳＤ４では、アプリ動作開始フラグをゼロリセットし、続くステップＳＤ５では、姿勢情報が履歴記憶される姿勢情報記憶部１０１ｇから最新の姿勢（姿勢を表すパラメータ）および検出時刻からなる姿勢情報を読み出す。そして、ステップＳＤ６に進み、読み出した最新の姿勢情報中の姿勢（姿勢を表すパラメータ）を基準姿勢情報として基準姿勢情報記憶部１０１ｈ（図８参照）にストアして本処理を終える。
【００８５】
＜類似の姿勢が所定時間継続の場合＞
この場合、上記ステップＳＤ２を介してステップＳＤ７に進み、ここでの判断結果が「ＹＥＳ」となってステップＳＤ８に進む。そして、ステップＳＤ８では、姿勢が所定時間継続いるかどうかを判別する為に、姿勢情報記憶部１０１ｇから最新の姿勢（姿勢を表すパラメータ）および検出時刻からなる第１の姿勢情報と、最新の姿勢を検出した時刻から所定時間以前の姿勢（姿勢を表すパラメータ）および検出時刻からなる第２の姿勢情報とを読み出す。
【００８６】
次いで、ステップＳＤ９では、上記ステップＳＤ８において読み出した第１および第２の姿勢情報が記憶条件の内容を満たすか否かを判断する。すなわち、第１および第２の姿勢情報が、記憶条件として設定された姿勢を表すパラメータの範囲に収まり、かつその姿勢を所定時間継続していたかどうかを判断する。この条件を満たしていなければ、判断結果は「ＮＯ」になり、本処理を終えるが、記憶条件を満たしていると、判断結果が「ＹＥＳ」になり、ステップＳＤ６に進み、第１の姿勢情報（最新の姿勢情報）中の姿勢（姿勢を表すパラメータ）を基準姿勢情報として基準姿勢情報記憶部１０１ｈ（図８参照）にストアして本処理を終える。
【００８７】
＜アプリ動作中に所定の姿勢＞
この場合、上記ステップＳＤ２を介してステップＳＤ７に進み、ここでの判断結果が「ＮＯ」となってステップＳＤ１０に進む。そして、ステップＳＤ１０では、姿勢情報記憶部１０１ｇから最新の姿勢（姿勢を表すパラメータ）および検出時刻からなる姿勢情報を読み出す。次いで、ステップＳＤ１１では、読み出した姿勢情報の姿勢を表すパラメータが、記憶条件として設定された姿勢を表すパラメータの範囲に収まっているかどうかを判断する。
【００８８】
記憶条件を満たしていなければ、判断結果は「ＮＯ」になり、本処理を終えるが、記憶条件を満たしていると、判断結果は「ＹＥＳ」になり、ステップＳＤ６に進み、最新の姿勢情報中の姿勢（姿勢を表すパラメータ）を基準姿勢情報として基準姿勢情報記憶部１０１ｈ（図８参照）にストアして本処理を終える。
【００８９】
このように、基準姿勢記憶処理では、ユーザ指定の記憶条件データ（設定フラグが「１」の記憶条件データ）を記憶条件記憶部１０１ｃから読み出しておき、姿勢情報記憶部１０１ｇに記憶される最新の姿勢情報が、読み出した記憶条件データで指定される条件を満たす場合に、その最新の姿勢情報を基準姿勢情報として基準姿勢情報記憶部１０１ｈに記憶する。
【００９０】
（５）基準姿勢更新処理の動作
次に、図１３を参照して基準姿勢変更処理の動作を説明する。前述した姿勢判別処理のステップＳＣ１１（図１１参照）を介して本処理が実行されると、制御部１００は図１３に図示するステップＳＥ１に進み、基準姿勢情報記憶部１０１ｈに基準姿勢情報（基準姿勢を表すパラメータ）が記憶されているか否かを判断する。基準姿勢情報が記憶されていなければ、判断結果は「ＮＯ」になり、本処理を終えるが、基準姿勢情報が記憶されていると、判断結果が「ＹＥＳ」となり、ステップＳＥ２に進む。
【００９１】
ステップＳＥ２では、更新条件記憶部１０１ｄから設定フラグが「１」の更新条件データ（図４参照）を読み出し、続くステップＳＥ３では、読み出した更新条件データが「更新する」であるか否かを判断する。読み出した更新条件データが「更新しない」の場合には、判断結果が「ＮＯ」になり、本処理を終えるが、「更新する」の場合には、判断結果が「ＹＥＳ」になり、ステップＳＥ４に進む。
【００９２】
ステップＳＥ４では、基準姿勢情報記憶部１０１ｈから基準姿勢情報（基準姿勢を表すパラメータ）を読み出し、続くステップＳＥ５では、姿勢情報記憶部１０１ｇから最新の姿勢（姿勢を表すパラメータ）および検出時刻からなる姿勢情報を読み出す。そして、ステップＳＥ６では、上記ステップＳＥ４で読み出した基準姿勢情報（基準姿勢を表すパラメータ）と、上記ステップＳＥ５で読み出した最新の姿勢（姿勢を表すパラメータ）とを比較し、その比較結果（差分）が、上記ステップＳＥ２において読み出された更新条件、すなわち「更新する」の更新条件データに含まれる更新条件（姿勢を表すパラメータの範囲）に収まっているかどうかを判断する。言い換えると、基準姿勢と最新の姿勢とが、所定の範囲内で類似しているかどうかを判別する。
【００９３】
基準姿勢および最新の姿勢の比較結果が更新条件（姿勢を表すパラメータの範囲）を満たしていなければ、判断結果は「ＮＯ」となり、本処理を終える。これに対し、比較結果が更新条件（姿勢を表すパラメータの範囲）を満たすと、上記ステップＳＥ６の判断結果は「ＹＥＳ」となり、ステップＳＥ７に進む。ステップＳＥ７では、姿勢情報記憶部１０１ｇに記憶される姿勢情報中の最新の姿勢（姿勢を表すパラメータ）を、基準姿勢情報として基準姿勢情報記憶部１０１ｈに記憶して本処理を終える。
【００９４】
このように、基準姿勢更新処理では、基準姿勢情報記憶部１０１ｈに基準姿勢情報（基準姿勢を表すパラメータ）が記憶されており、かつ記憶条件記憶部１０１ｄから読み出したユーザ指定の更新条件データ（設定フラグが「１」の更新条件データ）が「更新する」であると、基準姿勢および最新の姿勢の比較結果が更新条件（姿勢を表すパラメータの範囲）を満たす場合に、最新の姿勢を基準姿勢情報として基準姿勢情報記憶部１０１ｈに更新登録する。
【００９５】
（６）制御判別処理の動作
次に、図１４を参照して制御判別処理の動作を説明する。前述した姿勢判別処理のステップＳＣ８又はステップＳＣ１３（図１１参照）の何れかを介して本処理が実行されると、制御部１００は図１４に図示するステップＳＦ１に進み、基準姿勢情報記憶部１０１ｈに基準姿勢情報（基準姿勢を表すパラメータ）が記憶されているか否を判断する。基準姿勢情報記憶部１０１ｈに基準姿勢情報（基準姿勢を表すパラメータ）が記憶されていなければ、判断結果は「ＮＯ」となり、ステップＳＦ７に進み、「制御しない」と判別して本処理を終える。
【００９６】
一方、基準姿勢情報記憶部１０１ｈに基準姿勢情報（基準姿勢を表すパラメータ）が記憶済みならば、上記ステップＳＦ１の判断結果は「ＹＥＳ」となり、ステップＳＦ２に進み、制御条件記憶部１０１ｅから制御条件データ（姿勢を表すパラメータの範囲）を読み出す。次いで、ステップＳＦ３では、基準姿勢情報記憶部１０１ｈから基準姿勢情報（基準姿勢を表すパラメータ）を読み出し、続くステップＳＦ４では、姿勢情報記憶部１０１ｇから最新の姿勢（姿勢を表すパラメータ）および検出時刻からなる姿勢情報を読み出す。
【００９７】
そして、ステップＳＦ５では、上記ステップＳＦ３で読み出した基準姿勢情報（基準姿勢を表すパラメータ）と、上記ステップＳＦ４で読み出した最新の姿勢（姿勢を表すパラメータ）とを比較し、その比較結果（差分）が、上記ステップＳＦ２において読み出された制御条件（姿勢を表すパラメータの範囲）に収まっているかどうかを判断する。言い換えると、基準姿勢と最新の姿勢とが、所定の範囲内で類似しているかどうかを判別する。基準姿勢および最新の姿勢の比較結果が制御条件（姿勢を表すパラメータの範囲）を満足していると、判断結果は「ＮＯ」となり、ステップＳＦ７に進み、「制御しない」と判別して本処理を終える。これに対し、比較結果が制御条件（姿勢を表すパラメータの範囲）を満たさなければ、上記ステップＳＦ５の判断結果は「ＹＥＳ」となり、ステップＳＦ６に進み、「制御する」と判別して本処理を終える。
【００９８】
このように、制御判別処理では、基準姿勢情報記憶部１０１ｈに基準姿勢情報（基準姿勢を表すパラメータ）が記憶済みであって、かつ基準姿勢および最新の姿勢の比較結果が制御条件記憶部１０１ｅから読み出した制御条件データ（姿勢を表すパラメータの範囲）を満足しない場合に「制御する」と判別する。
【００９９】
（７）制御実行処理（テレビアプリ動作中）の動作
次に、図１５を参照してテレビアプリ動作中に実行される制御実行処理の動作を説明する。前述した姿勢判別処理のステップＳＣ１５（図１１参照）を介してテレビアプリ動作中に本処理が実行されると、制御部１００は図１５に図示するステップＳＧ１に進み、設定フラグが「１」に設定された制御内容データ（図６参照）を制御内容記憶部１０１ｆから読み出す。
【０１００】
次いで、ステップＳＧ２では、読み出した制御内容データの項目が「停止」であるか否かを判断する。読み出した制御内容データの項目が「停止＋記録」であると、判断結果は「ＮＯ」になり、ステップＳＧ３に進み、テレビ放送・ラジオ放送受信部１０３から出力される映像／テレビ音声データの記録（録画）を開始した後、ステップＳＧ４に進む。
【０１０１】
一方、読み出した制御内容データの項目が「停止」であると、上記ステップＳＧ２の判断結果は「ＹＥＳ」になり、ステップＳＧ４に進む。ステップＳＧ４では、映像表示出力を停止させ、続くステップＳＧ５では、音声出力を停止させる。そして、ステップＳＧ６に進み、制御中フラグに「１」をセットし、続くステップＳＧ７では、制御中タイマをスタートさせて本処理を終える。
【０１０２】
このように、制御実行処理（テレビアプリ動作中）では、制御内容記憶部１０１ｆから読み出したユーザ指定の制御内容データ（設定フラグが「１」の制御内容データ）が「停止」の場合には、映像表示出力および音声出力を停止させた後、制御中フラグに「１」をセットして制御中タイマをスタートさせる。一方、ユーザ指定の制御内容データが「停止＋記録」ならば、テレビ放送・ラジオ放送受信部１０３から出力される映像／テレビ音声データの記録（録画）を開始させた後、映像表示出力および音声出力を停止させ、制御中フラグに「１」をセットして制御中タイマをスタートさせる。
【０１０３】
（８）制御実行処理（動画再生アプリ動作中）の動作
次に、図１６を参照して動画再生アプリ動作中に実行される制御実行処理の動作を説明する。前述した姿勢判別処理のステップＳＣ１５（図１１参照）を介して動画再生アプリ動作中に本処理が実行されると、制御部１００は図１６に図示するステップＳＨ１に進み、設定フラグが「１」に設定された制御内容データ（図６参照）を制御内容記憶部１０１ｆから読み出す。
【０１０４】
次いで、ステップＳＨ２では、読み出した制御内容データの項目が「停止」であるか否かを判断する。読み出した制御内容データの項目が「一時停止」であると、判断結果は「ＮＯ」になり、ステップＳＨ３に進み、映像表示出力を一時停止させ、続くステップＳＨ４では、音声出力を一時停止させた後、ステップＳＨ７に進む。
【０１０５】
一方、読み出した制御内容データの項目が「停止」ならば、上記ステップＳＨ２の判断結果は「ＹＥＳ」になり、ステップＳＨ５に進む。ステップＳＨ５〜ＳＨ６では、映像表示出力を停止させると共に、音声出力を停止させた後、ステップＳＨ７に進む。そして、ステップＳＨ７では、制御中フラグに「１」をセットし、続くステップＳＨ８では、制御中タイマをスタートさせて本処理を終える。
【０１０６】
このように、制御実行処理（動画再生アプリ動作中）では、制御内容記憶部１０１ｆから読み出したユーザ指定の制御内容データ（設定フラグが「１」の制御内容データ）が「一時停止」の場合には、映像表示出力および音声出力を一時停止させた後、制御中フラグに「１」をセットして制御中タイマをスタートさせる。一方、ユーザ指定の制御内容データが「停止」ならば、映像表示出力および音声出力を停止させた後、制御中フラグに「１」をセットして制御中タイマをスタートさせる。
【０１０７】
（９）制御解除処理（テレビアプリ動作中）の動作
次に、図１７を参照してテレビアプリ動作中に実行される制御解除処理の動作を説明する。前述した姿勢判別処理のステップＳＣ１０（図１１参照）を介してテレビアプリ動作中に本処理が実行されると、制御部１００は図１７に図示するステップＳＪ１に進む。ステップＳＪ１では、前述した制御実行処理（テレビアプリ動作中）のステップＳＧ３（図１５参照）によって記録開始が指示され、これによりテレビ放送・ラジオ放送受信部１０３から出力される映像／テレビ音声データを記録（録画）中であるか否かを判断する。
【０１０８】
映像／テレビ音声データを録画中でなければ、判断結果は「ＮＯ」になり、後述のステップＳＪ３に進むが、録画中であると、判断結果が「ＹＥＳ」となり、ステップＳＪ２に進む。ステップＳＪ２では、映像／テレビ音声データを録画しつつ、録画済みの映像／テレビ音声データを通常再生より早送りで再生するタイムシフト再生（追いかけ再生）を行い、現在録画中の映像／テレビ音声データに再生出力が追いついた時点で録画を停止して受信中の映像／テレビ音声データに基づく映像表示出力および音声出力の開始を指示する。次いで、ステップＳＪ３〜ＳＪ４では、上記ステップＳＪ２の開始指示に応じて映像表示出力および音声出力を開始させる。そして、ステップＳＪ５では、制御中フラグをゼロセットし、続くステップＳＪ６では、制御中タイマを停止させて本処理を終える。
【０１０９】
このように、制御解除処理（テレビアプリ動作中）では、映像／テレビ音声データを録画中でなければ、受信中の映像／テレビ音声データに基づき映像表示出力および音声出力を開始させた後、制御中フラグをゼロセットして制御中タイマを停止させる。一方、映像／テレビ音声データを録画中ならば、タイムシフト再生（追いかけ再生）を行い、現在録画中の映像／テレビ音声データに再生出力が追いつくと、受信中の映像／テレビ音声データに基づき映像表示出力および音声出力を開始させた後、制御中フラグをゼロセットして制御中タイマを停止させる。
【０１１０】
（１０）制御解除処理（動画再生アプリ動作中）の動作
次に、図１８を参照して動画再生アプリ動作中に実行される制御解除処理の動作を説明する。前述した姿勢判別処理のステップＳＣ１０（図１１参照）を介して動画再生アプリ動作中に本処理が実行されると、制御部１００は図１８に図示するステップＳＫ１に進み、動画再生停止中であるか否かを判断する。一時停止中ならば、判断結果は「ＮＯ」になり、ステップＳＫ２に進み、映像表示出力を再開させ、続くステップＳＫ３では、音声出力を再開させた後、ステップＳＫ６に進む。
【０１１１】
一方、停止中であると、上記ステップＳＫ１の判断結果が「ＹＥＳ」になり、ステップＳＫ４に進む。ステップＳＫ４〜ＳＫ５では、映像表示出力を開始させると共に、音声出力を開始させた後、ステップＳＫ６に進む。そして、ステップＳＫ６では、制御中フラグをゼロリセットし、続くステップＳＫ７では、制御中タイマを停止させて本処理を終える。
【０１１２】
このように、制御解除処理（動画再生アプリ動作中）では、動画再生一時停止中であると、映像表示出力および音声出力を再開させた後、制御中フラグをゼロリセットして制御中タイマを停止させる。一方、動画再生停止中であったならば、映像表示出力および音声出力を開始させた後、制御中フラグをゼロリセットして制御中タイマを停止させる。
【０１１３】
以上のように、本実施形態では、例えばユーザが携帯電話１０を両手に把持した状態でテレビ放送の番組を視聴していると、携帯電話１０の姿勢変化は小さくユーザ指定の記憶条件や更新条件を満たす為、一定期間毎に姿勢検出部１１０により検出される姿勢（姿勢を表すパラメータ）と現在時刻とを対応付けて生成される最新の姿勢を基準姿勢に設定したり、最新の姿勢を基準姿勢に更新したりする。
【０１１４】
そして、例えばユーザが番組視聴に疲れ、視聴時とは異なる姿勢で携帯電話１０を放置したとする。そうすると、携帯電話１０の姿勢変化が大きくなってユーザ指定の記憶条件や更新条件を満たさなくなり、かつ基準姿勢および最新の姿勢の比較結果が制御条件を満たさなくなる為、起動中のアプリ動作を制御する。具体的には、ユーザ指定の制御内容が「停止」ならば、映像表示出力および音声出力を停止させ、ユーザ指定の制御内容が「停止＋記録」ならば、映像／テレビ音声データの記録（録画）を開始させた後、映像表示出力および音声出力を停止させる。
【０１１５】
その後、ユーザが携帯電話１０を両手に把持して当初の体勢に戻したとする。そうすると、基準姿勢および最新の姿勢の比較結果が制御条件を満たす為、アプリ動作の制御を解除する。具体的には、録画をしていなければ、受信中の映像／テレビ音声データに基づき映像表示出力および音声出力を開始させ、一方、録画中ならば、タイムシフト再生（追いかけ再生）を行い、現在録画中の映像／テレビ音声データに再生出力が追いつくと、受信中の映像／テレビ音声データに基づき映像表示出力および音声出力を開始させるようにするので、携帯電話１０の姿勢に応じてアプリケーションの動作を適切に制御することができる。
【０１１６】
また、上述した実施形態において得られる、より具体的な他の効果は、下記（ａ）〜（ｉ）項に記載の通りである。
（ａ）基準姿勢を記憶するか否かを適切に判別することによって適切な基準姿勢を記憶することができ、以降、この適切な基準姿勢に基づいて、アプリ動作を適切に制御することができる。
（ｂ）アプリ動作中に所定範囲内の姿勢を所定時間継続した場合に、その姿勢を基準姿勢として記憶することができる。以降、この適切な基準姿勢に基づいて、アプリ動作を適切に制御することができる。例えばユーザがテレビアプリを動作させてもすぐには視聴せず、端末装置の姿勢をいろいろ変えている場合には、それらの姿勢を基準姿勢とはせずに、ユーザが視聴を開始し、端末装置の姿勢が安定した場合（所定範囲内の姿勢を所定時間継続した場合）に、その姿勢を基準姿勢とすることができる。
（ｃ）アプリ動作中の姿勢が、予め指定された姿勢の所定範囲内に含まれる場合に、その姿勢を基準姿勢として記憶することができる。以降、この適切な基準姿勢に基づいて、アプリ動作を適切に制御することができる。例えばユーザがテレビアプリを動作させてもすぐには視聴せず、端末装置を持った手を下に下げているような場合には、その姿勢を基準姿勢とはせずに、ユーザが視聴を開始し、端末装置の姿勢がユーザが視聴している姿勢の場合（予め指定された姿勢の所定範囲内に含まれる場合）に、その姿勢を基準姿勢とすることができる。
（ｄ）基準姿勢を適切に更新することができる。以降、この適切に更新された基準姿勢に基づいてアプリ動作を適切に制御することができる。
（ｅ）検出された姿勢が基準姿勢の所定範囲内である場合に、基準姿勢を更新することができる。以降、この更新された基準姿勢に基づいてアプリ動作を制御することができる。例えばユーザがテレビアプリを動作させてテレビ放送を視聴中に、ユーザ自らの姿勢と端末装置の姿勢を徐々に変化させた場合に、その変化後の姿勢を基準姿勢とすることができる。
（ｆ）アプリ動作中の姿勢が基準姿勢の所定の範囲外になった場合に、表示出力動作及び音声出力動作の少なくともいずれか一方の動作を停止することによって、動作中のアプリケーションをユーザが利用していないと判別される状況で、アプリケーションの不要な動作を停止することができ、不要な電力消費を抑制することができる。
（ｇ）アプリ動作中の姿勢が基準姿勢の所定の範囲外になった場合に、情報を記録することによって、その情報をユーザが後で確認することができる。
（ｈ）アプリ動作が制御された後、基準姿勢と検出された姿勢に応じて、その制御を適切に解除することができる。たとえば、アプリ動作中の姿勢が基準姿勢から大きく離れた場合（所定の範囲外になった場合）に表示出力動作を停止したのち、再び基準姿勢に近い姿勢になったときに、表示出力動作の停止を解除することによって、ユーザは出力されている表示内容を見ることができる。
（ｉ）アプリ動作が制御された後、所定時間経過後に、アプリ動作を終了することによって、動作中のアプリケーションをユーザが所定時間以上利用していないと判別される状況で、アプリケーションの不要な動作を停止することができ、不要な電力消費を抑制することができる。
【０１１７】
なお、上述の実施形態では、端末装置として携帯電話１０を想定しているが、本発明の要旨は、これに限らず、パーソナルコンピュータ、ＰＤＡ、デジタルカメラ、音楽プレイヤーなど、任意の端末装置に適用可能であることは言うまでもない。また、本実施形態では、折り畳み開閉タイプの携帯電話１０を想定したが、これに限らず、ストレートタイプ、スライドタイプ、スピントップタイプなど任意の筐体構造であっても構わない。記憶部１０１は、携帯電話１０の内部に設けられるメモリに限定されず、メモリカードや外付けハードディスクなど、任意の外部記憶装置でも良い。
【０１１８】
また、本実施形態では、携帯電話１０が備えるアプリケーションとして、テレビアプリ（テレビ放送受信出力機能）および動画再生アプリ（動画再生出力機能）を一例に挙げたが、本発明はこれらアプリケーションに限定して適用されるものではなく、ラジオ放送受信出力機能、静止画像再生機能、アドレス帳機能などの他のいかなるアプリケーションに適用可能であることは言うまでもない。
【０１１９】
姿勢検出部１１０により検出される姿勢（姿勢を表すパラメータ）は、重力の基準軸（重力方向）に対する角度に限定されず、姿勢を表す任意のパラメータで良い。また、記憶条件記憶部１０１ｃに記憶される記憶条件データ、更新条件記憶部１０１ｄに記憶される更新条件データおよび制御条件記憶部１０１ｅに記憶される制御条件データは、本実施形態で例示したものに限定されず、姿勢に関する任意の内容で良い。
【０１２０】
さらに、本実施形態では。制御条件を満たしたか否かの判別結果に基づいてアプリ動作の制御を実行したり解除したりするようにしたが、これに替えて、制御を実行するための制御実行条件と、制御を解除するための制御解除条件とを別々の内容の条件として設ける態様としても構わない。
【符号の説明】
【０１２１】
１０  携帯電話
１００  制御部
１０１  記憶部
１０１ａ  プログラム記憶部
１０１ｂ  各種情報一時記憶部
１０１ｃ  記憶条件記憶部
１０１ｄ  更新条件記憶部
１０１ｅ  制御条件記憶部
１０１ｆ  制御内容記憶部
１０１ｇ  姿勢情報記憶部
１０１ｈ  基準姿勢情報記憶部
１０１ｉ  データ記憶部
１０２  無線通信部
１０３  テレビ放送・ラジオ放送受信部
１０４  音声信号処理部
１０５  表示部
１０６  操作部
１０７  ＲＴＣ
１０８  報知部
１０８ａ  サウンドスピーカ
１０８ｂ  ＬＥＤ
１０８ｃ  振動モータ
１０９  電池部
１１０  姿勢検出部
【図１】
2011018272.tif 000003
【図２】
2011018272.tif 000004
【図３】
2011018272.tif 000005
【図４】
2011018272.tif 000006
【図５】
2011018272.tif 000007
【図６】
2011018272.tif 000008
【図７】
2011018272.tif 000009
【図８】
2011018272.tif 000010
【図９】
2011018272.tif 000011
【図１０】
2011018272.tif 000012
【図１１】
2011018272.tif 000013
【図１２】
2011018272.tif 000014
【図１３】
2011018272.tif 000015
【図１４】
2011018272.tif 000016
【図１５】
2011018272.tif 000017
【図１６】
2011018272.tif 000018
【図１７】
2011018272.tif 000019
【図１８】
2011018272.tif 000020